(57)【要約】【課題】ランプ全長の異なる蛍光ランプを装着可能にして汎用性を高めることができる照明器具を提供する。【解決手段】照明器具１０は、ソケット挿通孔１２を有する器具本体１１と、器具本体１１に保持される蛍光ランプと、蛍光ランプに給電するソケットと、を備え、ソケットと略同一形状に形成された開口部２２を有するアダプタ１５を備え、ソケット挿通孔１２は、蛍光ランプの軸方向にソケットよりも大きく形成されており、アダプタ１５は、蛍光ランプの軸方向に開口部２２の位置を方向変更してソケット挿通孔１２に固定される。【選択図】図２
2011044314.tif 000002
【特許請求の範囲】
【請求項１】
ソケット挿通孔を有する器具本体と、
前記器具本体に保持される蛍光ランプと、
前記蛍光ランプに給電するソケットと、
を備える照明器具であって、
前記ソケットと略同一形状に形成された開口部を有するアダプタを備え、
前記ソケット挿通孔は、前記蛍光ランプの軸方向に前記ソケットよりも大きく形成されており、
前記アダプタは、前記蛍光ランプの軸方向に前記開口部の位置を方向変更して前記ソケット挿通孔に固定されることを特徴とする照明器具。
【請求項２】
前記アダプタは、少なくとも一対の爪部を設けており、
前記ソケット挿通孔は、前記爪部を厚み方向に挿入する挿入部と、前記アダプタをスライドさせて保持する保持部とを有することを特徴とする請求項１に記載した照明器具。
【請求項３】
前記アダプタの保持部は、前記アダプタの爪部に形成した係合受に係合可能な係合部であることを特徴とする請求項１または２に記載した照明器具。
【発明の詳細な説明】
【技術分野】
【０００１】
本発明は、例えば住宅や工場等の天井面に取り付けられる照明器具に関し、特に複数種類のランプ全長を有する蛍光ランプに適用される照明器具に関する。
【背景技術】
【０００２】
従来の照明器具の一例として、現行のソケットに既設のソケットの取付寸法に合わせるためのソケット取付用アダプタを装備した照明器具がある（例えば、特許文献１参照）。
【０００３】
従来の照明器具の他の一例として、ソケット貫通部に係止可能な係止部を有し、取付けスリットを係合可能な係合部を有するアダプタを装備した照明器具がある（例えば、特許文献２参照）。
【先行技術文献】
【特許文献】
【０００４】
【特許文献１】特開２０００−２２２９２８号公報（図１、段落番号０００４）
【特許文献２】特開２００２−２６０４３３号公報（図１、請求項１）
【発明の概要】
【発明が解決しようとする課題】
【０００５】
近年、蛍光ランプ、特に直管型の蛍光ランプの分野においては多様化が進み、それに伴い、反射板を共通として、ランプ全長の異なる、例えば１１７８ｍｍの短寸タイプや１１９８ｍｍの長寸タイプがそれぞれ製造されている。
【０００６】
ところが、上述した特許文献１および特許文献２に開示された従来の照明器具においては、反射板から蛍光ランプまでの距離を調整することはできるものの、いずれもソケット間の長さ寸法を変更することができず、単一のランプ全長の蛍光ランプのみしか装着することができない。
従って、短寸タイプや長寸タイプの蛍光ランプを装着して汎用性を高めることができない。
【０００７】
本発明は、前述した課題を解決するためになされたものであり、その目的は、ランプ全長の異なる蛍光ランプを装着可能にして汎用性を高めることができる照明器具を提供することにある。
【課題を解決するための手段】
【０００８】
本発明に係る照明器具は、ソケット挿通孔を有する器具本体と、前記器具本体に保持される蛍光ランプと、前記蛍光ランプに給電するソケットと、を備える照明器具であって、前記ソケットと略同一形状に形成された開口部を有するアダプタを備え、前記ソケット挿通孔は、前記蛍光ランプの軸方向に前記ソケットよりも大きく形成されており、前記アダプタは、前記蛍光ランプの軸方向に前記開口部の位置を方向変更して前記ソケット挿通孔に固定されることを特徴とする。
【０００９】
本発明において、アダプタは、開口部の位置を外方側に配置してソケット挿通孔に固定されることにより、その位置の開口部に装着されるソケットを長寸タイプの蛍光ランプに一致させる。これとは異なり、アダプタは、開口部の位置を内方側に配置してソケット挿通孔に固定されることにより、その位置の開口部に装着されるソケットを短寸タイプの蛍光ランプに一致させる。
これにより、アダプタにより開口部の位置を複数種類のランプ全長の蛍光ランプに応じて変更することができる。
従って、ランプ全長の異なる蛍光ランプを装着可能にして汎用性を高めることができる。
【００１０】
本発明に係る照明器具は、上記照明器具において、前記アダプタは、少なくとも一対の爪部を設けており、前記ソケット挿通孔は、前記爪部を厚み方向に挿入する挿入部と、前記アダプタをスライドさせて保持する保持部とを有することを特徴とする。
【００１１】
本発明において、アダプタは、爪部がソケット挿通孔の挿入部に挿入されてスライドされることにより保持部に保持される。
これにより、アダプタの形状が単純なものになる。
従って、簡素化を図って生産性の向上を図ることができる。
【００１２】
本発明に係る照明器具は、上記照明器具において、前記アダプタの保持部は、前記アダプタの爪部に形成した係合受に係合可能な係合部であることを特徴とする。
【００１３】
本発明において、アダプタは、爪部がソケット挿通孔の挿入部に挿入されてスライドされることにより、爪部に形成した係合受がソケット挿通孔の係合部に係合する。
これにより、ネジ止め等の部品点数の多くなる固定手段を用いずに簡単な固定を行うことができる。
従って、部品点数の増大を防止して生産性の向上を図ることができる。
【発明の効果】
【００１４】
本発明の照明器具によれば、ソケットと略同一形状に形成された開口部を有するアダプタを備え、ソケット挿通孔は、蛍光ランプの軸方向に前記ソケットよりも大きく形成されており、アダプタは、蛍光ランプの軸方向に前記開口部の位置を方向変更してソケット挿通孔に固定される。
これにより、ランプ全長の異なる蛍光ランプを装着可能にして汎用性を高めることができるという効果を有する。
【図面の簡単な説明】
【００１５】
【図１】本発明に係る一実施形態の照明器具の斜め下方から視た外観斜視図
【図２】図１の照明器具における短寸タイプの蛍光ランプを装着する場合のアダプタの器具本体への組み付け前の斜め上方から視た外観斜視図
【図３】図２の照明器具の斜め下方から視た外観斜視図
【図４】図２の照明器具におけるアダプタの器具本体への組み付け途中の斜め上方から視た外観斜視図
【図５】図２の照明器具におけるアダプタの器具本体への組み付け後の斜め上方から視た外観斜視図
【図６】図５の照明器具の斜め下方から視た外観斜視図
【図７】図６のアダプタにソケットを装着した斜め下方から視た外観斜視図
【図８】図１の照明器具における長寸タイプの蛍光ランプを装着する場合のアダプタの器具本体への組み付け前の斜め下方から視た外観斜視図
【図９】図８の照明器具におけるアダプタの器具本体への組み付け後の斜め下方から視た外観斜視図
【図１０】図９のアダプタにソケットを装着した斜め下方から視た外観斜視図
【発明を実施するための形態】
【００１６】
以下、本発明の一実施形態に係る照明器具について図面を参照して説明する。
【００１７】
本発明の一実施形態である照明器具１０は、一対のソケット挿通孔１２を有する器具本体１１と、光源である単一の直管型の蛍光ランプ１３と、蛍光ランプ１３に給電するための一対のソケット１４と、長寸タイプおよび短寸タイプの蛍光ランプ１３に応じてソケット１４の位置を所定位置に変更してソケット挿通孔１２に取り付けられる一対のアダプタ１５とを備えて、不図示の天井面に取り付けられる。
【００１８】
図１に示すように、器具本体１１は、下面が反射板の機能を有するものとして比較的薄い金属製板部材を用いて成形されている。器具本体１１は、天板１６と、一対の短寸側板１７と、一対の長寸側板１８とを有して下方を開放している。
【００１９】
一対のソケット１４は、器具本体１１の天板１６の両端部寄りの所定位置に配置される。ソケット１４は不図示の安定器を通じて同じく不図示の電源端子台に電気的に接続される。電源端子台は天井面から引き込まれた電源配線に電気的に接続されるために所定の電流がソケット１４に給電される。
【００２０】
図２に示すように、アダプタ１５は、絶縁性を有する例えば樹脂材料等を用いて器具本体１１の天板１６と同等の厚さ寸法の略四角形に形成されている。アダプタ１５は、上面の中央端部に一対の爪部１９をそれぞれ突出形成しており、蛍光ランプ１３の軸方向に沿った一端面２０および他端面２１のうちの一端面２０側にソケット装着用開口部２２を形成している。
【００２１】
ソケット装着用開口部２２はソケット１４の水平断面形状に相似してわずかに大きく開口されており、上方からソケット１４を装着することによりソケット１４を固定する。
【００２２】
ソケット挿通孔１２は、器具本体１１の天板１６における短寸側板１７寄りに、蛍光ランプ１３の軸方向にソケット１４の水平断面形状よりも十分に大きい四角形の貫通孔に形成されている。
【００２３】
ソケット挿通孔１２には、アダプタ１５の爪部１９を厚み方向に挿入する挿入部２３と、挿入部２３に爪部１９を挿入したアダプタ１５をスライドさせて保持する保持部２４とを有する。
【００２４】
挿入部２３は、爪部１９の間に、いちばん大きい幅寸法を有する第１開口部２５と、次に大きい幅寸法を有する第２開口部２６と、爪部１９を当接させてアダプタ１５の移動を規制するいちばん小さい幅寸法の第３開口部２７とを有する。
【００２５】
第１開口部２５は短寸側板１７から離れた位置に配置されて第１端面２８を有し、第３開口部２７は短寸側板１７に近い位置に配置されて第２端面２９を有する。
【００２６】
保持部２４は、アダプタ１５の爪部１９に形成した係合受であるダボ孔３０と、ダボ孔３０に係合可能にして挿入部２３の第２開口部２６に形成した係合部であるダボ３１とからなる。なお、ダボ孔３０を係合部とするダボとし、ダボ３１を係合受とするダボ孔とすることもできる。
【００２７】
次に、アダプタ１５の器具本体１１への組付け手順について説明する。
【００２８】
まず、短寸タイプの蛍光ランプ１３を装着する場合について説明する。
【００２９】
図２を含め、図３に示すように、アダプタ１５のソケット装着用開口部２２側の一端面２０をソケット挿通孔１２の第１端面２８側に向けて、アダプタ１５の爪部１９を器具本体１１の天板１６の下面である意匠面側から挿入部２３の第１開口部２５を介して天板１６の上面に引っ掛ける。
【００３０】
図４に示すように、爪部１９を挿入部２３の第１開口部２５の上面に引っ掛けたアダプタ１５は、爪部１９により器具本体１１の天板１６に支持されており、この状態でアダプタ１５を短寸側板１７側にスライド移動させる。
【００３１】
図５に示すように、アダプタ１５は短寸側板１７側にスライド移動されることにより、爪部１９が第２開口部２６の端部に当接して移動を規制される。同時に、爪部１９のダボ孔３０が天板１６のダボ３１に係合することによりアダプタ１５が天板１６に固定される。
【００３２】
図６に示すように、アダプタ１５は、ソケット装着用開口部２２を短寸側板１７から離れた第１位置Ａ１に配置する。
【００３３】
図７に示すように、次に、器具本体１の上面からアダプタ１５のソケット装着用開口部２２にソケット１４を装着して組み付ける。これにより、一対のソケット１４が短寸タイプの蛍光ランプ１３のランプ全長に対応する位置に配置され、これらソケット１４に短寸タイプの蛍光ランプ１３が装着されることになる。
【００３４】
次に、長寸タイプの蛍光ランプ１３を装着する場合について説明する。
【００３５】
図８に示すように、アダプタ１５の他端面２１をソケット挿通孔１２の第１端面２８側に向けて、アダプタ１５の爪部１９を器具本体１１の天板１６の下面である意匠面側から挿入部２３の第１開口部２５を介して上面に引っ掛ける。
【００３６】
爪部１９を挿入部２３の第１開口部２５の上面に引っ掛けたアダプタ１５は、爪部１９により器具本体１１の天板１６に支持されており、この状態でアダプタ１５を短寸側板１７側にスライド移動させる。
【００３７】
アダプタ１５は短寸側板１７側にスライド移動されることにより、爪部１９が第２開口部２６の端部に当接して移動を規制される。同時に、爪部１９のダボ孔３０が天板１６のダボ３１に係合することによりアダプタ１５が天板１６に固定される。
【００３８】
図９に示すように、アダプタ１５は、ソケット装着用開口部２２を短寸側板１７の近傍の第２位置Ａ２に配置する。
【００３９】
図１０に示すように、次に、器具本体１１の上面からアダプタ１５のソケット装着用開口部２２にソケット１４を装着して組み付ける。これにより、一対のソケット１４が長寸タイプの蛍光ランプ１３のランプ全長に合致する位置に配置され、これらソケット１４に長寸タイプの蛍光ランプ１３が装着されることになる。
【００４０】
以上説明してきたように、本発明の一実施形態の照明器具１０では、アダプタ１５は、ソケット装着用開口部２２の位置を短寸側板１７側に配置してソケット挿通孔１２に固定されることにより、その位置のソケット装着用開口部２２に装着されるソケット１４を長寸タイプの蛍光ランプ１３に一致させる。これとは異なり、アダプタ１５は、ソケット装着用開口部２２の位置を短寸側板１７から離れた位置に配置してソケット挿通孔１２に固定されることにより、その位置のソケット装着用開口部２２に装着されるソケット１４を短寸タイプの蛍光ランプ１３に一致させる。
これにより、アダプタ１５によりソケット装着用開口部２２の位置を複数種類のランプ全長の蛍光ランプ１３に応じて変更することができる。
従って、ランプ全長の異なる蛍光ランプ１３を装着可能にして汎用性を高めることができる。
【００４１】
本発明の一実施形態の照明器具１０では、アダプタ１５は、爪部１９がソケット挿通孔１２の挿入部２３に挿入されてスライドされることにより保持部２４に保持される。
これにより、アダプタ１５の形状が単純なものになる。
従って、簡素化を図って生産性の向上を図ることができる。
【００４２】
本発明の一実施形態の照明器具１０では、アダプタ１５は、爪部１９がソケット挿通孔１２の挿入部２３に挿入されてスライドされることにより、爪部１９に形成したダボ孔３０がソケット挿通孔１２のダボ３１に係合する。
これにより、ネジ止め等の部品点数の多くなる固定手段を用いずに簡単な固定を行うことができる。
従って、部品点数の増大を防止して生産性の向上を図ることができる。
【００４３】
なお、前記実施形態で使用した器具本体１１、蛍光ランプ１３、ソケット１４等は例示したものに限定するものではなく適宜変更が可能である。
【符号の説明】
【００４４】
１０  照明器具
１１  器具本体
１２  ソケット挿通孔
１３  蛍光ランプ
１４  ソケット
１５  アダプタ
１９  爪部
２２  ソケット装着用開口部（開口部）
２３  挿入部
２４  保持部
３０  ダボ孔（係合受）
３１  ダボ（係合部）
【図１】
2011044314.tif 000003
【図２】
2011044314.tif 000004
【図３】
2011044314.tif 000005
【図４】
2011044314.tif 000006
【図５】
2011044314.tif 000007
【図６】
2011044314.tif 000008
【図７】
2011044314.tif 000009
【図８】
2011044314.tif 000010
【図９】
2011044314.tif 000011
【図１０】
2011044314.tif 000012